(57)【特許請求の範囲】
【請求項１】
容器１より突出する口部２に嵌着され、開口可能な遮蔽部３を備えた中栓４に対して装着されるものであって、上記中栓４のみに嵌合される嵌合リング６と、これと薄肉ヒンジ７で一体化されたキャップ８とを備えた嵌合リングとキャップとのヒンジ結合体の製造方法において、
嵌合リング６の開口部に位置する円板９のキャビティの中心ゲートＧより注入される溶融樹脂を放射状に流動させ、上記円板９周縁の環状薄肉部１０を経て嵌合リング６のキャビティを充填すると共に薄肉ヒンジ７のキャビティを経てキャップ８のキャビティを充填しつつ、薄肉ヒンジ７の反対側において合流させ、
この成形体を冷却固化後離型し、
打抜きにより上記環状薄肉部１０と共に上記円板９を除去すること
を特徴とする嵌合リングとキャップとのヒンジ結合体の製造方法。
【発明の詳細な説明】
【０００１】
【発明の属する技術分野】
この発明は、ガラス製又は合成樹脂製等の液体容器の口部に嵌着され、開口可能な遮蔽部を備えた中栓に対して装着されるポリプロピレン製の嵌合リングとキャップとのヒンジ結合体の製造方法に関するものである。
【０００２】
【従来の技術】
図４は、本発明及び従来の、嵌合リングとキャップとのヒンジ結合体が開口可能な遮蔽部を備えたポリエチレン製中栓に対して装着された状態の一例を示す切断面図である。図において、１は容器、２は口部、３は遮蔽部で、薄肉状のスコア３ａとプルタブ１４を有し、薄肉状のスコア３ａに沿って切り裂き引き抜き可能となっている。１５は口部２に嵌着される嵌合外筒、１６は口部２に嵌着される嵌合内筒、１７は注出し口であって、上記の嵌合外筒１５，嵌合内筒１６，注出し口１７および遮蔽部３によって中栓４が形成されている。
２０は嵌合リングとキャップとのヒンジ結合体で、中栓４に嵌着される嵌合リング６と薄肉ヒンジ７で一体化されたキャップ８とから構成されている。嵌合リング６は囲壁上部にストッパ面６ａが形成され、キャップ外周壁８ａ下部と当接可能となっている。キャップ外周壁８ａ下部の薄肉ヒンジ７の反対側には取っ手８ｂが突設されている。キャップ外周壁８ａの内側には間隔をおいてキャップ天板８ｃよりキャップ内周壁８ｄが垂設され、一方、嵌合リング６の上部内側には水平リング６ｃが突設され、上記中栓４の肩部と接合している。水平リング６ｃの上部には介入リング６ｂが垂設され、上記キャップ外周壁８ａとキャップ内周壁８ｄの間に介入可能となっている。さらに、キャップ天板８ｃの内側には間隔をおいて外リング８ｅと内リング８ｆが突設されていて、外リング８ｅと内リング８ｆとの間に注出し口１７の先端が介入し、当接可能となっている。
上記合成樹脂製の中栓６はプルタブ１４を引き、遮蔽部３を切り裂いて抜き取り、注出し口１７より内容物を注ぐことが出来る。また、使用開始後は、キャップを閉じることによって注出し口１７の先端が密封され、転倒しても液漏れすることはない。
【０００３】
図５は従来の嵌合リングとキャップとのヒンジ結合体の図４に対応する一例を示す（イ）平面図，（ロ）断面図である。従来はこのような嵌合リングとキャップとのヒンジ結合体を作るには、射出成形によってキャップ８の中心に位置する中心ゲートＧより溶融樹脂を注入し、図示しない金型内において成形する。
【０００４】
【発明が解決しようとする課題】
図５に示すように、射出成形によりキャップの中心に位置する中心ゲートＧを通って矢印方向より注入された溶融樹脂はキャップ天板８ｃのキャビティを放射方向に流れキャップ外周壁８ａのキャビティを充填した後薄肉ヒンジ７のキャビティを経て嵌合リング６のキャビティを矢印方向に流れ、薄肉ヒンジ７の反対側においてウエルドラインＷを形成する。しかしながら、射出成形材料として、耐熱性及びヒンジ特性の関係上ポリプロピレンを使用するので、周囲温度がポリプロピレンの脆化温度より低下すると脆くなり、寒冷時にヒンジ結合体を嵌合した中栓を容器の口部に打栓装着するときに嵌合リングがウエルドラインＷより割れて不良品が発生することがある。
【０００５】
本発明はこれらの問題点を解決するためになされたもので、打栓装着時嵌合リングの割れによる不良品の発生の起らない嵌合リングとキャップとのヒンジ結合体を得ることを目的とする。
【０００６】
本発明は、容器１より突出する口部２に嵌着され、開口可能な遮蔽部３を備えた中栓４に対して装着されるものであって、上記中栓４のみに嵌合される嵌合リング６と、これと薄肉ヒンジ７で一体化されたキャップ８とを備えた嵌合リングとキャップとのヒンジ結合体の製造方法において、
嵌合リング６の開口部に位置する円板９のキャビティの中心ゲートＧより注入される溶融樹脂を放射状に流動させ、上記円板９周縁の環状薄肉部１０を経て嵌合リング６のキャビティを充填すると共に薄肉ヒンジ７のキャビティを経てキャップ８のキャビティを充填しつつ、薄肉ヒンジ７の反対側において合流させ、この成形体を冷却固化後離型し、打抜きにより上記環状薄肉部１０と共に上記円板９を除去することを特徴とする。
【０００７】
【発明の実施の形態】
発明の実施の形態を実施例に基づき図面を参照して説明する。先行技術と同一部分または相当部分には同一符号を付し、説明を省略する。
図１は嵌合リングとキャップとのヒンジ結合体の中間製品の（イ）平面図，（ロ）断面図である。前記したように、２０は嵌合リングとキャップとのヒンジ結合体で、中栓４に嵌着される嵌合リング６と薄肉ヒンジ７で一体化されたキャップ８とから構成されている。９は嵌合リング６の開口部に位置する円板で周縁の環状薄肉部１０によって嵌合リング６と連結されている。１１は円板９の中心に位置する中心ゲートＧに接続するスプルーである。
図２は同上製品を成形する金型の断面略図である。図２において、３０は固定金型、３１は移動金型である。
図３は打抜き工程の説明図である。図３において、４０は受け治具、４１は基台、４２は環状薄肉部１０の円形打抜き刃、４３は昇降体である。
【０００８】
上記金型を用いて溶融樹脂を射出成形すると、樹脂はスプルー１１より円板９のキャビティを図１の矢印の放射方向に流れ、リング状の環状薄肉部１０を経て一斉に嵌合リング６のキャビティに充填されるからここではウエルドラインＷは発生しない。溶融樹脂は嵌合リング６のキャビティを充填すると共に薄肉ヒンジ７のキャビティを経てキャップ８のキャビティに流れ、キャップ外周壁８ａの薄肉ヒンジ７の反対側にウエルドラインＷが発生し易くなる。仮にこの位置にウエルドラインＷが発生したとしても打栓時には全く影響を受けないので何等差し支えない。射出成形終了後、型開きを行い、型内の突出しピンによって離型し、受け治具４０にセットし、昇降体４３によって円形打抜き刃４２を降下させ、これによって環状薄肉部１０と共に円板９を打抜き、嵌合リング６とキャップ８とのヒンジ結合体２０を得ることが出来るが、上記受け治具４０にセットされているときにキャップ８を保持して数回薄肉ヒンジ７を折曲げることにより薄肉ヒンジ７の分子配向を促進し、ヒンジ特性を強化することが出来る。
【０００９】
【実施例】
メルトフローレート（２３０℃、２．１６Kg荷重）が４ｇ／１０分ポリプロピレンを射出成型機（日精樹脂工業（株）ＦＥ−１２０型）に供給し、概略形状を図２に示す金型を用いて、シリンダ温度２１０℃、金型温度３０℃、成形圧力（ゲージ圧）５０Kg/cm2の成形条件で射出成形を行つた。成形された中間製品を図３に示す受け治具４０にセットし、打抜き刃４２を降下させて、環状薄肉部１０と共に円板９を打抜き、嵌合リングとキャップとのヒンジ結合体を製造した。  このヒンジ結合体を低密度ポリエチレン製の中栓４に嵌合させ、温度５℃に冷却した後、所定のガラス容器口部への打栓装着テストを実施した。サンプル１００個を供試したが、いずれも嵌合リング６の割れは認められなかった。一方図５に示すヒンジ結合体を、前記と同様の材料を使用し、前記と同様の成型条件下で射出成形により製造し、前記と同様の打栓装着テストを行ったところ、供試サンプル１００個中７個について嵌合リング６のウエルドラインＷに割れが発生した。
【００１０】
【発明の効果】
本発明は、以上説明したように構成されているので、以下に記載されるような効果を奏する。
【００１１】
本発明の請求項１記載の嵌合リングとキャップとのヒンジ結合体の製造方法は、嵌合リング６の開口部に位置する円板９のキャビティの中心ゲートＧより注入される溶融樹脂を放射状に流動させ、上記円板９周縁の環状薄肉部１０を経て嵌合リング６のキャビティを充填すると共に薄肉ヒンジ７のキャビティを経てキャップ８のキャビティを充填しつつ、薄肉ヒンジ７の反対側において合流させ、この成形体を冷却固化後離型し、打抜きにより上記環状薄肉部１０と共に上記円板９を除去することにより、従来のように嵌合リング６にウエルドラインＷは発生しないので、たとえ、低温脆化のような悪条件のもとでも、中栓６に嵌着する際に割れを生ずることはない。
【図面の簡単な説明】
【図１】本発明の嵌合リングとキャップとのヒンジ結合体の中間製品を示す（イ）平面図，（ロ）断面図である。
【図２】本発明の嵌合リングとキャップとのヒンジ結合体を製造する金型の断面略図である。
【図３】本発明の嵌合リングとキャップとのヒンジ結合体の打抜き工程の説明図である。
【図４】本発明及び従来の、嵌合リングとキャップとのヒンジ結合体が開口可能な遮蔽部を備えた中栓に対して装着された状態の一例を示す切断面図である。
【図５】従来の嵌合リングとキャップとのヒンジ結合体の一例を示す（イ）平面図，（ロ）断面図である。
【符号の説明】
１          容器
２          口部
３          遮蔽部
３ａ        スコア
４          中栓
６          嵌合リング
６ａ        ストッパ面
６ｂ        介入リング
６ｃ        水平リング
７          薄肉ヒンジ
８          キャップ
８ａ        キャップ外周壁
８ｂ        取っ手
８ｃ        キャップ天板
８ｄ        キャップ内周壁
８ｅ        外リング
８ｆ        内リング
９          円板
１０        環状薄肉部
１１        スプルー
１４        プルタブ
１５        嵌合外筒
１６        嵌合内筒
１７        注出し口
２０        嵌合リングとキャップとのヒンジ結合体
３０        固定金型
３１        移動金型
４０        受け治具
４１        基台
４２        円形打抜き刃
Ｇ          中心ゲート
Ｗ          ウエルドライン
【図１】
0004238422.tif 000002
【図２】
0004238422.tif 000003
【図３】
0004238422.tif 000004
【図４】
0004238422.tif 000005
【図５】
0004238422.tif 000006